(57)【要約】【課題】家畜への着脱が容易で適切に体温を調整することができ、ストレスを低減可能な家畜用衣料を提供する。【解決手段】展開状態でシート状に形成された身生地１と、身生地１を家畜の体の一部に巻き付けた状態で身生地の端部同士を接合する接合部１０と、を備えている家畜用衣料であって、身生地が、縦横二方向への伸縮生地で構成されるとともに、少なくとも家畜の胸部の一部を被覆する胸部被覆部３を備えて構成され、身生地１が、非セルロース繊維とポリウレタン系弾性繊維との交編により構成されている。【選択図】図１
2017123842.tif 000002
【特許請求の範囲】
【請求項１】
展開状態でシート状に形成された身生地と、前記身生地を家畜の体の一部に巻き付けた状態で前記身生地の端部同士を接合する接合部と、を備えている家畜用衣料であって、
前記身生地が伸縮生地で構成されるとともに、少なくとも家畜の胸部の一部を被覆する胸部被覆部を備えて構成されている家畜用衣料。
【請求項２】
前記身生地が、家畜の首部を被覆する首部被覆部をさらに備えて構成されている請求項１記載の家畜用衣料。
【請求項３】
前記接合部は家畜の首部から背部に到る頂部で前記身生地を接合する留め具で構成され、前記身生地を尾部側に張設する張設具を備えている請求項１または２記載の家畜用衣料。
【請求項４】
前記留め具は家畜の首部から背部に向けてスライダーを移動させることによりエレメント同士が係合するファスナーで構成され、
前記張設具は、一端が前記スライダーの引手または前記身生地の背部に固定され、他端に家畜の尾を嵌挿する嵌挿部を備えた弾性ベルトで構成されている請求項３記載の家畜用衣料。
【請求項５】
前記胸部被覆部のうち家畜の胸垂の左右両側に対応する部位に前脚を挟む切欠部が形成され、各切欠部の胸垂側端部に係止リングが設けられるとともに、前記胸部被覆部の後端縁に複数の係合部が設けられ、
前記胸垂側端部が胸垂に接触するように、前記係止リングが前脚の内側から前記係合部の何れかに係止可能に構成されている請求項１から４の何れかに記載の家畜用衣料。
【請求項６】
前記胸部被覆部のうち家畜の胸垂の左右両側に対応する部位及び前記胸部被覆部の左右後端縁下部にそれぞれ係止リングが設けられ、前記胸垂側端部が胸垂に接触するように、左右それぞれの係止リングを連結する弾性ベルトが前脚の内側を通って連結されている請求項１から４の何れかに記載の家畜用衣料。
【請求項７】
前記身生地のうち家畜の背を挟んで左右両側上面に首部から背部に向けた帯状の防水部材が設けられ、前記身生地と前記防水部材との間に前記身生地を介して家畜の体表面を加湿する給水パイプが配置されている請求項１から６の何れかに記載の家畜用衣料。
【請求項８】
前記身生地が、非セルロース系繊維とポリウレタン系弾性繊維との交編により構成されている請求項１から７の何れかに記載の家畜用衣料。
【請求項９】
前記非セルロース系繊維が、ポリアミド系エラストマー及び／またはポリエステル系エラストマーを含む熱可塑性エラストマー、及び無機フィラーを含有する接触冷感繊維である請求項８記載の家畜用衣料。
【請求項１０】
前記身生地のうち、少なくとも家畜の頸動脈及び／または心臓を覆う部分の放熱量が６００Ｗ／ｍ２以上である請求項１から９の何れかに記載の家畜用衣料。
【請求項１１】
前記身生地のうち、少なくとも家畜の頸動脈及び／または心臓を覆う部分のｑｍａｘ値が０．１５Ｊ／ｓｅｃ．／ｍ２以上である請求項１から９の何れかに記載の家畜用衣料。
【発明の詳細な説明】
【技術分野】
【０００１】
本発明は、家畜用衣料に関する。
【背景技術】
【０００２】
近年、地球温暖化の問題が指摘されているように、我が国でも夏季の気温上昇が顕著になっている。人間のみならず家畜にとっても夏季の気温上昇のもたらす影響が様々な状況で顕在化している。
【０００３】
例えば、畜産業界では暑熱による影響を受けて乳牛からの搾乳量が低下するという問題があり、畜舎内の送風機構や日除け部材の設置等の他、断熱塗料や断熱部材を用いた畜舎の改装等、様々な試みがなされてきている。
【０００４】
例えば、多量の吸水が可能な高分子ポリマーで構成された環状帯を牛の首に巻き付けて、気化熱を利用して牛を冷却する冷感ベルトが提案されている。
【０００５】
特許文献１には、低コストでより確実かつ効率的に家畜のヒートストレス対策ができる冷却具を提供することを目的として、保冷剤を収納可能なポケットを２個以上有し、家畜の頸部の少なくとも一部を覆うように形成された保冷剤カバーと、この保冷剤カバーを家畜の頸部に巻き付けた際に、その保冷剤カバーの両端部を相互に繋ぐことが可能なベルト１本以上とを備えた冷却帯が開示されている。
【０００６】
また、畜舎内にミスト噴霧機構を設けてミスト噴霧により冷却することも考慮されているが、牛床が水で濡れると細菌の繁殖によって乳房炎等の細菌感染を引き起こす虞があった。
【０００７】
この様な問題は乳牛のみならず様々な家畜でも起こり得る問題であり、また暑熱の影響のみならず寒冷による影響も考慮する必要があった。
【０００８】
例えば、特許文献２には、胴回り全体を覆うことにより腹部を保温可能な四足動物の衣服が開示されている。
【０００９】
当該衣服は牛等の四足動物の衣服であり、展開状態で１枚のシート状であり、四足動物の胴回りに巻きつけて胴回り方向の両端部間に形成した連結手段により連結することにより胴回り全体を被覆することができ、該連結手段は一方の端部に形成される連結具と他方の端部に形成される連結具とからなり、該両連結具が相互に連結可能に形成されており該両連結具が一体に結合されることにより連結され、前記一方の端部の連結具と他方の端部の連結具の少なくともどちらかの連結具が胴回り方向に所定間隔をおいて複数設定されており、四足動物の胴回りの大きさに応じて複数の連結具のいずれかを選択して連結するように構成されている。
【００１０】
特許文献３には、子牛等の家畜に巻付け、安価かつ確実に保温することができる家畜用保温胴衣が開示されている。
【００１１】
当該家畜用保温胴衣は、家畜の胴部分を覆う胴保温部と、家畜の肩部分を覆う肩保温部と、家畜の腰部分を覆う腰保温部と、胴保温部に設けられ胴保温部を固定する胴固定手段と、肩保温部に設けられ略胸垂部分において肩保温部を固定する肩固定手段と、腰保温部に設けられ略後脚の上部において腰保温部を固定する腰固定手段とを備えて構成されている。
【先行技術文献】
【特許文献】
【００１２】
【特許文献１】特開２０１３−１７９９０３号公報
【特許文献２】特開２００８−２９２５０号公報
【特許文献３】実用新案登録第３００１９７６号公報
【発明の概要】
【発明が解決しようとする課題】
【００１３】
しかし、特許文献１に記載された冷却帯を用いる場合には、定期的に保冷剤を交換する必要があり、吸水ポリマーを用いた環状帯を用いる場合にも、乾燥した環状帯を吸水処理した環状帯に定期的に取り換える必要があり、何れの場合も煩雑な交換作業が必要になるという問題があった。
【００１４】
また、特許文献２，３に開示された家畜用の衣料は、何れも保温用の衣料であり暑熱対策として用いることが想定された衣料ではなかった。例えば、特許文献２に開示された衣料は、内側が有毛で外面が無毛となっており、無毛な外面が撥水性に優れ、体表面に接触する内面が保温性に優れた生地で構成されているため、暑熱時の家畜の発汗等の作用に対応可能な素材ではなかった。
【００１５】
また、当該衣料は牛のサイズに合わせて複数の固定具を備える必要があり、コストが嵩むとともに着脱に手間がかかるという問題もあった。
【００１６】
また、特許文献３に開示された衣料も同様に、胴保温部、肩保温部及び腰保温部は、ビニールやゴム等でコーティングされた防水繊維かズック（黄麻）生地、或いはセラミック繊維が表面に用いられ、内側にフェルト加工した布等の保温性のよい材料が用いられるので、暑熱時の家畜の発汗等の作用に対応可能な素材ではなかった。
【００１７】
さらに、当該衣料は牛の肩部や脚部等複数個所に備えた固定手段で固定する必要があり、着脱作業に手間がかかるという問題もあった。
【００１８】
本発明の目的は、上述の問題に鑑み、家畜への着脱が容易で適切に体温を調整することができ、ストレスを低減可能な家畜用衣料を提供する点にある。
【課題を解決するための手段】
【００１９】
上述の目的を達成するため、本発明による家畜用衣料の第一の特徴構成は、特許請求の範囲の書類の請求項１に記載した通り、展開状態でシート状に形成された身生地と、前記身生地を家畜の体の一部に巻き付けた状態で前記身生地の端部同士を接合する接合部と、を備えている家畜用衣料であって、前記身生地が伸縮生地で構成されるとともに、少なくとも家畜の胸部の一部を被覆する胸部被覆部を備えて構成されている点にある。
【００２０】
伸縮生地で構成される身生地で家畜を覆い、接合部で身生地の端部を接合することにより、多少サイズが異なる複数の家畜の何れであっても身生地を家畜の体表面に密接させることができ、家畜の姿勢が変化しても身生地の密接状態を維持することができる。その結果、身生地に備えた特性で家畜の体表面の状態を制御できるようになる。例えば熱伝達性の良い生地であれば家畜の体表面からの放熱を促進し、保温性の良い生地であれば家畜の体表面を保温できる。そして、身生地に備えた胸部被覆部により家畜の心臓部位が被覆されることにより、家畜の体温を良好な温度状態に調整可能になる。
【００２１】
同第二の特徴構成は、同請求項２に記載した通り、上述の第一の特徴構成に加えて、前記身生地が、家畜の首部を被覆する首部被覆部をさらに備えて構成されている点にある。
【００２２】
身生地に備えた首部被覆部により頸動脈が位置する首部が被覆されることにより、例えば熱伝達性の良い生地であれば頸動脈を通る血液が冷やされて家畜の体温を効果的に低下させることができ、保温性の良い生地であれば頸動脈を通る血液が保温されて家畜の体温を良好な温度状態に維持することができるようになる。
【００２３】
同第三の特徴構成は、同請求項３に記載した通り、上述の第一または第二の特徴構成に加えて、前記接合部は家畜の首部から背部に到る頂部で前記身生地を接合する留め具で構成され、前記身生地を尾部側に張設する張設具を備えている点にある。
【００２４】
家畜を被覆した身生地を、留め具を用いて家畜の首部から背部に到る頂部で接合すれば、伸縮生地が家畜の体表面に密接するような状態で極めて容易に装着でき、さらに張設具によって身生地が尾部側に張設されるので、家畜の姿勢が頻繁に変化する場合でも伸縮生地が首部から尾部側に引っ張られ、身生地の着用状態が崩れるようなことがない。
【００２５】
同第四の特徴構成は、同請求項４に記載した通り、上述の第三の特徴構成に加えて、前記留め具は家畜の首部から背部に向けてスライダーを移動させることによりエレメント同士が係合するファスナーで構成され、前記張設具は、一端が前記スライダーの引手または前記身生地の背部に固定され、他端に家畜の尾を嵌挿する嵌挿部を備えた弾性ベルトで構成されている点にある。
【００２６】
身生地の両端を接合する留め具としてファスナーが用いられ、首部から背部に向けてファスナーのスライダーを移動すれば、エレメント同士が係合する際に身生地が伸張されて体表面に身生地が密接するようになる。また、家畜の背中側で接合できるので、しゃがみ込むような窮屈な姿勢で身生地を接合するような煩雑な作業から開放される。さらに、スライダーの引手または前記身生地の背部に固定された弾性ベルトを伸張して嵌挿部を尾部に嵌挿することで、首部から背部の間で身生地が適切に伸張されるようになり、家畜の姿勢変化等によって装着状態が崩れるようなことがなくなる。
【００２７】
同第五の特徴構成は、同請求項５に記載した通り、上述の第一から第四の何れかの特徴構成に加えて、前記胸部被覆部のうち家畜の胸垂の左右両側に対応する部位に前脚を挟む切欠部が形成され、各切欠部の胸垂側端部に係止リングが設けられるとともに、前記胸部被覆部の後端縁に複数の係合部が設けられ、前記胸垂側端部が胸垂に接触するように、前記係止リングが前脚の内側から前記係合部の何れかに係止可能に構成されている点にある。
【００２８】
切欠き部で左右の脚部を挟むように、胸部被覆部の後端縁側を家畜の左右の前脚と胴部との間に挿し込んで上方に引き上げ、胸部被覆部の後端縁に設けられた複数の係合部の何れかに胸垂側端部の係止リングを係止することによって、胸部被覆部が家畜の胸部に密接するようになる。このような係止リングを係合部に係止する作業は比較的楽な姿勢で行える。
【００２９】
同第六の特徴構成は、同請求項６に記載した通り、上述の第一から第四の何れかの特徴構成に加えて、前記胸部被覆部のうち家畜の胸垂の左右両側に対応する部位及び前記胸部被覆部の左右後端縁下部にそれぞれ係止リングが設けられ、前記胸垂側端部が胸垂に接触するように、左右それぞれの係止リングを連結する弾性ベルトが前脚の内側を通って連結されている点にある。
【００３０】
胸部被覆部の左右両端部と胸部被覆部の左右後端縁下部を、前脚の内側を通るように弾性ベルトで連結することにより、胸部被覆部が家畜の胸部の一部である胸垂に密接するようになる。
【００３１】
同第七の特徴構成は、同請求項７に記載した通り、上述の第一から第六の何れかの特徴構成に加えて、前記身生地のうち家畜の背を挟んで左右両側上面に首部から背部に向けた帯状の防水部材が設けられ、前記身生地と前記防水部材との間に前記身生地を介して家畜の体表面を加湿する給水パイプが配置されている点にある。
【００３２】
身生地と防水部材との間に配置された給水パイプを介して放水された水は、防水部材に阻まれて身生地の外側表面を伝うことなく、従って畜舎の床に液滴することなく、身生地を浸潤して家畜の体表面側に供給され、家畜の背側から腹側の体表面が加湿されるようになる。そして家畜の体温によって水が蒸発するときの気化熱で家畜の体温を効果的に低下させることができるようになる。
【００３３】
同第八の特徴構成は、同請求項８に記載した通り、上述の第一から第七の何れかの特徴構成に加えて、前記身生地が、非セルロース系繊維とポリウレタン系弾性繊維との交編により構成されている点にある。
【００３４】
身生地が非セルロース系繊維とポリウレタン系弾性繊維との交編により構成されていると、二方向への十分な伸縮性を確保することができ、また非セルロース系繊維であれば綿糸のように水分が含浸することなく効率的に水分が蒸散されるようになり、家畜の体温を効果的に低下させることができるようになる。
【００３５】
同第九の特徴構成は、同請求項９に記載した通り、上述の第八の特徴構成に加えて、前記非セルロース系繊維が、ポリアミド系エラストマー及び／またはポリエステル系エラストマーを含む熱可塑性エラストマー、及び無機フィラーを含有する接触冷感繊維である点にある。
【００３６】
伸縮性を備えた接触冷感繊維で構成された生地が家畜の体表面に接触すると、体表面の熱を逃がし易くなる。ポリアミド系エラストマー及び／またはポリエステル系エラストマーを含む熱可塑性エラストマーを紡糸して得られる繊維で構成された生地は接触冷感に優れ、またそのような繊維に無機フィラーを含有させると、湿潤時の不快感を防止することができ、接触冷感生地として好適に用いることができる。
【００３７】
同第十の特徴構成は、同請求項１０に記載した通り、上述の第一から第九の何れかの特徴構成に加えて、前記身生地のうち、少なくとも家畜の頸動脈及び／または心臓を覆う部分の放熱量が６００Ｗ／ｍ２以上である点にある。
【００３８】
家畜の頸動脈及び／または心臓を覆う部分の放熱量が６００Ｗ／ｍ２以上であれば、暑熱対策用の身生地として好適に用いることができる。
【００３９】
同第十一の特徴構成は、同請求項１１に記載した通り、上述の第一から第九の何れかの特徴構成に加えて、前記身生地のうち、少なくとも家畜の頸動脈及び／または心臓を覆う部分のｑｍａｘ値が０．１５Ｊ／ｓｅｃ．／ｍ２以上である点にある。
【００４０】
家畜の頸動脈及び／または心臓を覆う部分のｑｍａｘ値が０．１５Ｊ／ｓｅｃ．／ｍ２以上であれば、暑熱対策用の身生地として好適に用いることができる。
【発明の効果】
【００４１】
以上説明した通り、本発明によれば、家畜への着脱が容易で適切に体温を調整することができ、ストレスを低減可能な家畜用衣料を提供することができるようになった。
【図面の簡単な説明】
【００４２】
【図１】家畜用衣料の説明図
【図２】（ａ）は図１に示す家畜用衣料を左右の中心線で折り畳んだ状態の説明図、（ｂ）は胸部被覆部の後端縁に備えた係合部と胸垂側端部に備えた係止リングの説明図
【図３】（ａ）は家畜の例である乳牛に家畜用衣料を装着した状態を示す側面図、（ｂ）は同斜視図
【図４】家畜の例である乳牛に家畜用衣料を装着した状態を示す平面図
【図５】（ａ）は接合部の一例であるファスナー及び吸水機構の要部を示す説明図、（ｂ）は身生地と防水部材と吸水パイプの断面構造の説明図
【図６】実験結果を示すデータの説明図
【図７】別実施形態を示す家畜用衣料の説明図
【図８】家畜の例である乳牛に別実施形態の家畜用衣料を装着した状態を示す斜視図
【発明を実施するための形態】
【００４３】
以下、本発明を適用した乳牛用の家畜用衣料を図面に基づいて説明する。
図１及び図２（ａ），（ｂ）に示すように、暑熱対策用の家畜用衣料Ｗは、展開状態でシート状に形成された身生地１と、身生地１を家畜の体の一部に巻き付けた状態で身生地１の端部同士を背部で接合する接合部１０と、を備えている。
【００４４】
身生地１は二方向への伸縮生地で構成され、家畜の首部を被覆する略三角形の首部被覆部２と、胸部正面を被覆する第１胸部被覆部３と、胸部側面を被覆する略矩形の第２胸部被覆部４を備えている。
【００４５】
第１胸部被覆部３と第２胸部被覆部４は、左右対称形状の略方形の一体の身生地を家畜の胸部中央から腹部中央を結ぶ線に沿って接ぎ合わせるように、接ぎ部５で家畜の胸部に対応して凸状に膨らむようにダーツ縫いにより縫着され、第１胸部被覆部３と第２胸部被覆部４との間に切欠部３１が形成されている。
【００４６】
切欠部３１により第２胸部被覆部４と分離された第１胸部被覆部３の端縁部３Ａには、左右端部にカラビナ３３が取り付けられた弾性テープ３４が縫着されている。つまり、カラビナ３３が、各切欠部３１の胸垂側端部３２に設けられた係止リング３３として機能する。
【００４７】
第２胸部被覆部４の後端縁３５に合成皮革を用いて構成された複数の環状の係合部３６が設けられている。カラビナ３３と係合するための係合部３６であり、各係合部３６は家畜用衣料Ｗを家畜に装着した状態で家畜の背部から腹部に上下方向に位置を異ならせて配置されるように第２胸部被覆部４の後端縁３５に縫着されている。
【００４８】
また、第２胸部被覆部４の後端縁３５とは反対側の前縁には上述した首部被覆部２が接ぎ部６で縫着されている。
【００４９】
第２胸部被覆部４のうち接ぎ部５とは反対側の端縁に上述した接合部１０が設けられている。
図５（ａ）に示すように、接合部１０は身生地１に接合された左右一対のテープ１０Ａとテープ１０Ａの縁部に沿って配列されたエレメント１０Ｂと、左右のテープ１０Ａに配列されたエレメント１０Ｂ同士を噛合させ、或いは開放するスライダー１０Ｃを備えたファスナーで構成されている。
【００５０】
図３（ａ），（ｂ）及び図４に示すように、上述の家畜用衣料Ｗを乳牛Ｃに装着する際には、先ず身生地１の首部２から第１胸部被覆部４を、乳牛Ｃの背部Ｃ２に被覆するように掛けて、乳牛Ｃの首Ｃ１の下部側でファスナーの基端側つまり乳牛Ｃの首側を噛合させた後に接合部１０が上方に位置するように回転移動させる。その後、スライダー１０Ｃを首Ｃ１から尾部Ｃ３側に引っ張ることによりファスナーの他端側までエレメント１０Ｂ同士を噛合させる。
【００５１】
さらに、スライダー１０Ｃの引手に一端が取り付けられた弾性ベルト２１を尾部Ｃ３に向けて引っ張り、弾性ベルト２１の他端に備えた環状の嵌挿部２２に乳牛のしっぽＣ４を挿入することにより身生地１を固定する。弾性ベルト２１及び嵌挿部２２によって身生地１を尾部Ｃ３側に張設する張設具２０が構成されている。また、弾性ベルト２１を介して身生地１を固定する部位として、しっぽＣ４以外に、後脚を選択することも可能である。
【００５２】
尚、弾性ベルト２１の一端をスライダー１０Ｃの引手に取り付ける態様以外に、弾性ベルト２１の一端を身生地１の背部に縫着等により固定する態様を含めて身生地１そのものに取り付けてもよい。
【００５３】
さらに、第１胸部被覆部３と第２胸部被覆部４の間に形成された切欠部３１に乳牛Ｃの左右の前脚が位置するように、左右の前脚と胴部との間に第１胸部被覆部３の端縁部３Ａを引き込み、弾性テープ３４の左右端部を左右の胴部からそれぞれ上方に引き上げて、張力がかかった状態でカラビナ３３を複数の係合部３６の何れかに係合する。
【００５４】
このようにして、身生地１が二方向へある程度伸張した状態で乳牛Ｃの体表面に密接するように装着される。つまり、第１胸部被覆部３が胸垂に接触し、第２胸部被覆部４が左右の肩から胸に接触し、首部被覆部２が乳牛Ｃの首の下部に接触した状態が維持されるようになる。
【００５５】
上述の身生地１は、二方向への十分な伸縮性が確保できるように、非セルロース系繊維とポリウレタン系弾性繊維とが交編されて構成され、非セルロース系繊維が、ポリアミド系エラストマー及び／またはポリエステル系エラストマーを含む熱可塑性エラストマー、及び無機フィラーを含有する接触冷感繊維が用いられている。
【００５６】
非セルロース系繊維である熱可塑性エラストマーとしては特に限定されるものではなく、ポリアミド系エラストマー、ポリエステル系エラストマー、ウレタン系エラストマー等を好適に用いることができ、単独または混合いずれの態様で用いてもよい。熱可塑性エラストマーは、肌から蒸散される水分を吸収して外部に放散するために、特に親水性の官能基を備えていることが好ましい。
【００５７】
ポリアミド系エラストマーは特に限定されず、例えば、ポリエーテルブロックアミド共重合体、ポリエーテルアミド共重合体、ポリエステルアミド共重合体等を用いることができる。これらは単独で用いられてもよく、２種以上を併用してもよい。
【００５８】
ポリアミド系エラストマーのうち市販されているものとして、例えば、ペバックス（アルケマ社製）、ＵＢＥナイロン（宇部興産社製）、グリロンＥＬＸ、グリルアミドＥＬＹ（以上、エムス昭和電工社製）、ダイアミド、ベスタミド（以上、ダイセル・デクサ社製）等が挙げられる。
【００５９】
ポリエステル系エラストマーは特に限定されず、例えば、ポリエーテルエステル共重合体、ポリエステルエステル共重合体等を用いることができる。これらは単独で用いてもよく、２種以上を併用してもよい。
【００６０】
これらのポリエステル系エラストマーのうち市販されているものとして、例えば、グリラックス（大日本インキ化学工業社製）、ヌーベラン（帝人化成社製）、ペルプレン（東洋紡績社製）、ハイトレル（東レ・デュポン社製）、プリマロイ（三菱化学社製）等が挙げられる。
【００６１】
これらの熱可塑性エラストマーのなかでも、下記（化１）式で表されるポリエーテルブロックアミド共重合体は、極めて優れた接触冷感が得られるとともに、吸湿性が得られ、比重も軽いため、生地、衣料、肌着に特に好適である。このようなポリエーテルブロックアミド共重合体のうち市販されているものとしては、例えば、ペバックス（アルケマ社製）等が挙げられる。（化１）式で、ＰＡはポリアミドを表し、ＰＥはポリエーテルを表す。
【化１】
2017123842.tif 000003
【００６２】
ウレタン系エラストマーは、特に限定されず、ポリエステル系のポリウレタンエラストマー、ポリカプロラクトン系のポリウレタンエラストマー、ポリカーボネート系ポリウレタンエラストマー、ポリエーテル系のウレタン系エラストマー等を用いることができる。
【００６３】
非セルロース系繊維であれば綿糸のように水分が含浸することなく効率的に水分が蒸散されるようになり、家畜の体温を効果的に低下させることができるようになる。
【００６４】
また、上述したようなポリアミド系エラストマー及び／またはポリエステル系エラストマーを含む熱可塑性エラストマーを紡糸して得られる繊維で構成された生地は接触冷感に優れ、接触冷感繊維で構成され伸縮性を備えた生地が乳牛の体表面に接触すると体表面から熱を逃がし易くなる。
【００６５】
またそのような繊維に無機フィラーを含有させると、湿潤時の不快感を防止することができるので、乳牛が暑熱により発生するストレスを軽減でき搾乳量の低下を抑制することができる。
【００６６】
特に、心臓及び心臓から血液が送られる太い頸動脈近傍が放熱されると、効果的に体温の上昇を抑制することができるため、首部被覆部２によって頸動脈近傍が被覆され、胸垂を被覆する第１胸部被覆部３によって心臓近傍が被覆されることにより乳牛の体温上昇が効果的に抑制されるようになる。
【００６７】
身生地１全体が接触冷感繊維で構成されている必要はなく、少なくとも首部被覆部２と第１胸部被覆部３が接触冷感繊維で構成されていればよい。双方が接触冷感繊維で構成されていることが好ましいが、第１胸部被覆部３のみが接触冷感繊維で構成されていてもよい。
【００６８】
身生地１のうち、少なくとも乳牛の頸動脈及び／または心臓を覆う部分の放熱量が６００Ｗ／ｍ２以上、より好ましくは８００Ｗ／ｍ２以上であると、暑熱対策用の身生地として好適に用いることができる。
【００６９】
放熱量とは、一定温度に設定された熱板に試料表面が接するようにセットして、一定時間の間に試料によって拡散された熱量の積算値から求められる。さらに試料を水で濡らした状態で測定を行なえば、水の気化熱によって奪われた熱量を測定することができる。
【００７０】
例えば、直径１２ｃｍの刺繍枠に生地を固定し、生地の中央に噴霧器で約０．０７５ｇの水を計５回（合計約０．３７５ｇ）吹きかけて濡らした後、３７℃に保たれた熱板（牛の外皮の表面温度を想定している）の上に生地表面が熱板に接するように設置して、６００秒の間に試料によって奪われた熱量の積算値から求められる値である。測定には、例えばサーモラボＩＩ型精密迅速熱物性測定装置（カトーテック社製）を用いることができる。
【００７１】
また、乳牛の頸動脈及び／または心臓を覆う部分のｑｍａｘ値が０．１５Ｊ／ｓｅｃ．／ｍ２以上、より好ましくは０．２Ｊ／ｓｅｃ．／ｍ２以上であると、暑熱対策用の身生地として好適に用いることができる。
【００７２】
「ｑｍａｘ値」とは、一定面積、一定質量の熱板に所定の熱を蓄え、これが試料表面に接触した直後、蓄えられた熱量が低温側の試料に移動する熱流量のピーク値である。ｑｍａｘ値は、着衣したときに試料に奪われる体温をシミュレートしていると考えられ、ｑｍａｘ値が大きいほど着衣時に奪われる体温が大きく、接触冷感が高いと考えられる。
【００７３】
ｑｍａｘ値は、例えば、２０．５℃の温度に設定した試料台の上に生地を置き、生地の上に３２．５℃の温度に温められた貯熱板を接触圧０．０９８Ｎ／ｃｍ２で重ねた直後、蓄えられた熱量が低温側の試料に移動する熱量のピーク値を測定して得られる値である。測定には、例えばサーモラボＩＩ型精密迅速熱物性測定装置（カトーテック社製）を用いることができる。
【００７４】
乳牛の頸動脈及び／または心臓を覆う部分の放熱量及びｑｍａｘ値は上記で示した数値範囲内であれば、非セルロース系繊維は熱可塑性エラストマーに限定されることなく、例えばナイロン６、ナイロン１２等のポリアミド系繊維やポリエステル繊維等も用いることができ、必要に応じてセルロース系繊維と交編することもできる。
【００７５】
図４及び図５（ａ），（ｂ）に示すように、上述の家畜用衣料Ｗには、身生地１のうち乳牛Ｃの背を挟んで左右両側上面に首部Ｃ１から背部Ｃ２に沿う帯状の防水部材１６が設けられ、身生地１と防水部材１６との間に身生地１を介して乳牛Ｃの体表面を加湿するための可撓性の給水パイプ１７が配置されている。
【００７６】
給水パイプ１７の終端は栓部材で閉止され、基端は連結管１８に連結され、連結管１８に給水ホース１９が接続されている。防水部材１６として内側面がはっ水処理された帯状生地が用いられ、身生地１に帯状生地の周囲が縫着されるとともに身生地１と帯状生地との間隙に給水パイプ１７が挿入されている。
【００７７】
また、給水パイプ１７の終端を栓部材で閉止せず、ホース等を介して牛舎外に排水或いは循環できるように配管しておくと、パイプ１７に水が滞留して外気温程度に上昇することを防ぐことができるため、乳牛Ｃの体温が効果的に低下するようになる。
【００７８】
給水パイプ１７には周部に微小な開口１７ｈが複数形成され、給水ホース１９から供給された水が開口１７ｈから噴出するように構成されている。身生地１と防水部材１６との間に配置された給水パイプ１７を介して放水された水は、防水部材１６に阻まれて身生地１の外側表面を伝うことなく、身生地１を浸潤して乳牛Ｃの体表面側に供給される。
【００７９】
従って牛舎の床に液滴することはない。乳牛Ｃの背側から腹側の体表面が加湿され、乳牛Ｃの体温によって水が蒸発するときの気化熱で乳牛Ｃの体温が効果的に低下するようになる。
【００８０】
身生地１と防水部材１６との間に配置された給水パイプ１７全体または一部を吸水性の高い生地（例えば綿の不織布）で被覆すると、開口１７ｈから噴出した水が不織布に浸潤して徐々に身生地１に浸潤するようになる。その結果、使用中に身生地１が汚れて浸潤性能が低下しても、水滴が身生地１の表面を伝って床面に滴下するような事態が解消される。
【００８１】
さらに、ファン等による送風を併せて行なうことにより、より効果的に気化熱による放熱を行なうことができる。
【００８２】
例えば、給水パイプ１７の設置位置近傍に身生地１の水分量を検知するセンサを設けて、当該センサによって身生地１が乾燥状態になったことが検知されると、給水ホース１９に備えたバルブを開放して所定量の給水を行ない、その後バルブを閉じるような制御装置を備えると、暑熱による乳牛の体温を低下させることができるようになり、搾乳量の低減を回避することができるようになる。
【００８３】
尚、当該衣料に給水パイプ１７を組み込むことは必須でなく、選択的な構成であることは言うまでもない。
【００８４】
身生地１として、例えば、ヨコ編機やタテ編機で編み上げた伸縮性編地を用いることができ、特に非セルロース系繊維とポリウレタン系弾性繊維を添え編で編成したヨコ編地を好適に用いることができるが、編組織はこれに限るものではない。例えば、ポリウレタン系弾性繊維を芯糸としてその周囲に非セルロース系繊維で被覆したカバリング糸を用いて編地を構成してもよい。
【００８５】
以上の実施形態では、非セルロース系繊維として接触冷感繊維を用いた暑熱対策用の家畜用の衣料を説明したが、寒冷対策用として保温性の良い中空繊維を用いた身生地や、レーヨン、キュプラ、テンセル、リヨセルなどの吸湿発熱繊維を用いた身生地等を用いることも可能である。これらの生地を用いて頸動脈や心臓を保護すれば、効果的に体温の低下を抑制することができる。
【００８６】
上述した実施形態では、家畜の例として乳牛を例示したが、本発明が適用可能な家畜は乳牛に限るものではなく、肉牛、馬、豚、犬、猫等のその他の家畜にも広く適用できる。
【００８７】
以下に別実施形態を説明する。
図１で説明した乳牛用の家畜用衣料Ｗは、第１胸部被覆部３によって胸部正面から左右の前脚の間が覆われ、第１胸部被覆部３と第２胸部被覆部４との間に形成された切欠部３１で前脚を挟むようにしてカラビナ３３を係合部３６に固定するような構成である。このような構成を採用すると、乳牛が床に伏せることにより、第１胸部被覆部３は床面に接触してひどく汚れる虞がある。また、乳牛が床に伏せた姿勢から起立するような場合に、脚部が切欠部３１に引っ掛かって身生地１の破断につながる虞もある。
【００８８】
図７及び図８には、このような観点で態様を異ならせた家畜用衣料Ｗが示されている。以下、先に説明した家畜用衣料Ｗと異なる部位のみ説明する。図１に示す家畜用衣料Ｗと比較して、胸垂を覆う第１胸部被覆部３の上下長さが短くなるように裁断されるとともに、第２胸部被覆部４の後端縁３５の上下長さが短くなるように比較的上部で裁断され、左右それぞれの後端縁３５の下端と第１胸部被覆部３の下端とが滑らかな曲線となる縁部４１で連なるように裁断されている。
【００８９】
さらに、第１胸部被覆部３の下端縁、第２胸部被覆部４の後端縁３５及び首部被覆部２の前端縁には幅広の弾性テープ３４，３６，２２が設けられ、乳牛の様々な姿勢変化に追従して身生地１が肌面から大きくずれるようなことがなく、肌面に沿うように構成されている。
【００９０】
弾性テープ３４，３６の端部には、係止リングとしてのカラビナ３３が固定され、一対のカラビナ３３同士を連結する弾性ベルト３７が設けられている。乳牛の前脚の間に当該弾性ベルト３７を挿通して、第１胸部被覆部３の下端縁と第２胸部被覆部４の後端縁３５下部とが連結される。装着対象となる乳牛のサイズに応じて当該弾性ベルト３７の長さを調整することにより、身生地１が乳牛の肌に密着するようになる。
【００９１】
このような家畜用衣料Ｗであれば、身生地１が二方向へある程度伸張した状態で乳牛Ｃの体表面に密接するように装着され、第１胸部被覆部３が胸垂に接触し、第２胸部被覆部４が左右の肩から胸に接触し、首部被覆部２が乳牛Ｃの首の下部に接触した状態が維持されるようになる。図１に示す家畜用衣料Ｗと異なり、家畜の胸部全体を被覆するのではなく、胸部の一部を被覆することになるが、何れの態様であっても、胸部被覆部により家畜の頸動脈及び心臓部位が被覆されるため、家畜の体温を良好な温度状態に調整可能になる。
【実施例】
【００９２】
本願発明者らは、上述した家畜用衣料Ｗが乳牛に対する暑熱対策としてどの程度有効であるのかの検証実験を行なった。
上述した接触冷感繊維とポリウレタン系弾性繊維とが添え編で編成されたヨコ編地で構成された図１に示す家畜用衣料Ｗを着用した乳牛（実施例）と、何も着用しない乳牛（比較例１）と、吸水性の高分子ポリマーを用いた市販の牛用ネッククーラ（日本全薬工業製「クールダー」）を首周りに着用させた乳牛（比較例２）の３頭に対して、盛夏時期を選んで５日間の着用実験を行なった。
【００９３】
特開２００９−１２６８２６号公報や、国際公開ＷＯ２００６／００３９２７号公報に示されているように、生物はストレスを受けると血液中のサイトカイン濃度が上昇することが知られている。
【００９４】
乳牛の搾乳量が低下する原因が暑熱によりストレスを受ける点にあると考えられ、そのストレスの程度をサイトカインの一種であるインターロイキン−６（ＩＬ−６）の血中濃度を測定することにより間接的に評価した。
【００９５】
朝方（８時４５分）、昼間（１３時００分）、夕方（１６時４５分）に乳牛の直腸温の測定と血液の採取を行ない、採取した血液から血中のインターロイキン−６の濃度を測定した。
【００９６】
図６には実験結果が示され、測定日、測定時間、気温、湿度、直腸温度、搾乳量、ＩＬ−６濃度が示されている。何も暑熱対策を行なっていない比較例１では、昼間から夕方にかけてＩＬ−６の濃度が何れも上昇した。夏場は気温が上がりきった昼間から気温が下がりきる夕方以降までの長い時間に暑さが続くため、乳牛が暑熱ストレスを受け、ＩＬ−６濃度が上昇したものと考えられる。
【００９７】
吸水性の高分子ポリマーで構成されたネッククーラを首部に巻いた比較例２では、３日目と５日目は比較例１と同様に昼間から夕方にかけてＩＬ−６が上昇している。尚、１日目は昼間から夕方にかけてＩＬ−６が減少しているが、これは１日目の夕方の気温が３０℃を下回っていたことから、比較的暑熱ストレスを受けにくい環境下であったためと考えられる。
【００９８】
実施例では、図６中に矢示したように、１日目、３日目、５日目の何れの場合でも昼間から夕方にかけてＩＬ−６が減少していた。比較例１、比較例２と比べて暑熱ストレスが緩和される作用があったと考えられる。そのために、実施例の乳牛の搾乳量の変動率は、比較例１、比較例２の乳牛の搾乳量の変動率よりも小さくなっているという結果が得られた。
【００９９】
以上説明した実施形態は、何れも本発明の一例に過ぎず、当該記載により本発明が限定されるものではなく、身生地を構成する編地の種類、糸種、太さ、熱可塑性エラストマーの種類等の具体的な構成は、本発明の作用効果が奏される範囲で適宜変更設計可能であることはいうまでもない。
【産業上の利用可能性】
【０１００】
本発明は、暑熱時の家畜の体温上昇を抑制し、寒冷時の家畜の体温低下を抑制するため様々な家畜用の衣料として、好適に使用できる。
【符号の説明】
【０１０１】
１：身生地
２：首部被覆部
３：第１胸部被覆部（胸部被覆部）
４：第２胸部被覆部
１０：留め具（接合部）
２０：張設具
３１：切欠部
３３：係止リング
３６：係合部
Ｗ：家畜用衣料
【図１】
2017123842.tif 000004
【図２】
2017123842.tif 000005
【図３】
2017123842.tif 000006
【図４】
2017123842.tif 000007
【図５】
2017123842.tif 000008
【図６】
2017123842.tif 000009
【図７】
2017123842.tif 000010
【図８】
2017123842.tif 000011